(57)【特許請求の範囲】
【請求項１】
映像を表示する表示面が視聴者からみて凹形状の円柱面である曲面と、当該曲面の湾曲方向における端部から前記円柱面の接線方向に連なる平面とを含む形状を有する表示部と、
前記表示部に表示させる表示映像に対して、前記表示面の形状に基づく補正である映像補正を行うスケーラと、
前記表示部の視認者が前記表示部の最適視認位置より遠方にいると、前記スケーラに映像補正を行わせるコントローラと、を有し、
前記スケーラは、前記映像補正を行う際、前記表示部の視認者が前記表示部を前記最適視認位置より遠方から視認したときに発生する表示映像の歪みを前記表示面の形状に基づき補正するものであり、
前記スケーラは、前記形状のうち、直線部分に関しては前記表示映像の幅を伸長し、円弧部分に関しては前記表示映像の幅を圧縮し、補正後の表示映像を生成する
ことを特徴とする映像表示装置。
【請求項２】
前記コントローラは、前記表示部が複数の表示部により構成された場合、複数のうちの１台の表示部が、前記視認者が前記最適視認位置より遠方にいることを検出すると、他の表示部に前記映像補正を行うように通知することを特徴とする請求項１に記載の映像表示装置。
【請求項３】
前記複数の表示部から前記視認者までの距離を検出する人感センサーと、
前記最適視認位置を記憶するメモリと、をさらに備え、
前記コントローラは、前記人感センサーが検出した前記距離と前記メモリから読み出した前記最適視認位置を比較して、前記視認者が前記最適視認位置より遠方にいると判断することを特徴とする請求項１または２に記載の映像表示装置。
【請求項４】
前記表示部が複数台設置されたことを感知する感知センサーを備え、
前記コントローラは、前記感知センサーが、前記表示部が複数台設置されたことを感知した場合、前記視認者が前記最適視認位置より遠方にいると判断することを特徴とする請求項２または３に記載の映像表示装置。
【請求項５】
映像を表示する表示面が視聴者からみて凹形状の円柱面である曲面と、当該曲面の湾曲方向における端部から前記円柱面の接線方向に連なる平面とを含む形状を有する表示部を備える映像表示装置の制御方法であって、
前記表示部に表示させる表示映像に対して、前記表示面の形状に基づく補正である映像補正を行う映像補正工程と、
前記表示部の視認者が前記表示部の最適視認位置より遠方にいると、前記映像補正を行わせる映像補正指示工程と、を備え、
前記映像補正工程では、
前記映像補正を行う際、前記表示部の視認者が前記表示部を前記最適視認位置より遠方から視認したときに発生する表示映像の歪みを前記表示面の形状に基づき補正し、
前記形状のうち、直線部分に関しては前記表示映像の幅を伸長し、円弧部分に関しては前記表示映像の幅を圧縮し、補正後の表示映像を生成する
映像表示装置の制御方法。
【発明の詳細な説明】
【技術分野】
【０００１】
本発明は、映像表示装置、映像表示装置の制御方法に関する。
【背景技術】
【０００２】
映像表示装置では、主にデザイン的な要請により、表示画面が曲面となっているモニタ（カーブモニタ）の需要が高まっている（例えば、特許文献１参照）。
映像表示装置では、カーブモニタを複数台設置して大画面を構成した場合、視認者の位置がモニタ個別の最適位置より遠方となって、表示画面の歪みなどを認識してしまうという技術的課題がある。この技術的課題について、図１１、図１２を参照して説明する。【０００３】
図１１は、カーブモニタの最適な視認位置Ｐｉｒを説明するための図である。
図１１（ａ）は、カーブモニタ２０の最適な視認位置Ｐｉｒを示しており、図１１（ｂ）は、視認位置Ｐｉｒから視認した場合の画像（イメージ）を示している。図１１（ａ）に示すように、表示画面が曲面となっているカーブモニタ２０はその曲率に応じた最適な視認位置Ｐｉｒ（カーブモニタにおける曲率半径の中心を示す位置）が存在する。図１１（ｂ）に示すように、カーブモニタ２０を曲率半径の中心（図の視認位置Ｐｉｒ）から視認した場合の画像は歪まない。【０００４】
図１２は、複数台のカーブモニタの視認者の位置Ｐｆｒを説明するための図である。図１２（ａ）は、複数台（３台）のカーブモニタ２０各々の最適な視認位置Ｐｉｒを示しており、図１２（ｂ）は、視認者が遠方より視認した際のカーブモニタ２０における画像を示している。図１２（ｂ）に示すように、カーブモニタ２０を複数台設置して大画面を構成し、遠方から見ると画像が歪んで視認される。
すなわち、カーブモニタ２０を複数台設置して大画面を構成した場合、図１２（ａ）に示すように、視認者の位置Ｐｆｒはモニタ個別の最適位置Ｐｉｒより遠方となって、図１２（ｂ）に示すように、視認者は表示画像の歪みなどを認識してしまう。
【先行技術文献】
【特許文献】
【０００５】
【特許文献１】特開２００８−２６４１７号公報
【発明の概要】
【発明が解決しようとする課題】
【０００６】
上述のように、映像表示装置では、カーブモニタ（表示画面が曲面となっているモニタ）はその局率に応じた最適な視認位置が存在するが、これを複数台設置して大画面を構成した場合、視認者の位置はモニタ個別の最適位置より遠方となって、表示画像の歪みなどを認識してしまう。【０００７】
上述の課題を鑑み、本発明は、カーブモニタが複数台となっても、視認者が表示画像の歪みを認識しない映像表示装置、映像表示装置の制御方法を提供することを目的とする。
【課題を解決するための手段】
【０００８】
上述の課題を解決するために、本発明の一態様に係る映像表示装置は、映像を表示する表示面が視聴者からみて凹形状の円柱面である曲面と、当該曲面の湾曲方向における端部から前記円柱面の接線方向に連なる平面とを含む形状を有する表示部と、前記表示部に表示させる表示映像に対して、前記表示面の形状に基づく補正である映像補正を行うスケーラと、前記表示部の視認者が前記表示部の最適視認位置より遠方にいると、前記スケーラに映像補正を行わせるコントローラと、を有し、前記スケーラは、前記映像補正を行う際、前記表示部の視認者が前記表示部を前記最適視認位置より遠方から視認したときに発生する表示映像の歪みを前記表示面の形状に基づき補正するものであり、前記スケーラは、前記形状のうち、直線部分に関しては前記表示映像の幅を伸長し、円弧部分に関しては前記表示映像の幅を圧縮し、補正後の表示映像を生成することを特徴とする。
【０００９】
発明の一態様に係る映像表示装置の制御方法は、映像を表示する表示面が視聴者からみて凹形状の円柱面である曲面と、当該曲面の湾曲方向における端部から前記円柱面の接線方向に連なる平面とを含む形状を有する表示部を備える映像表示装置の制御方法であって、前記表示部に表示させる表示映像に対して、前記表示面の形状に基づく補正である映像補正を行う映像補正工程と、前記表示部の視認者が前記表示部の最適視認位置より遠方にいると、前記映像補正を行わせる映像補正指示工程と、を備え、前記映像補正工程では、前記映像補正を行う際、前記表示部の視認者が前記表示部を前記最適視認位置より遠方から視認したときに発生する表示映像の歪みを前記表示面の形状に基づき補正し、前記形状のうち、直線部分に関しては前記表示映像の幅を伸長し、円弧部分に関しては前記表示映像の幅を圧縮し、補正後の表示映像を生成する。
【発明の効果】
【００１０】
本発明によれば、曲面を含む形状のモニタ（表示部）が複数台となっても、視認者が表示画像の歪みを認識しない映像表示装置、映像表示装置の制御方法を提供することができる。
【図面の簡単な説明】
【００１１】
【図１】本発明の実施形態に係る映像表示装置の構成を示すブロック図である。
【図２】スケーラが画像補正を実行しない場合のカーブモニタ２０に表示される画像を説明するための図である。
【図３】図２におけるカーブモニタの第１の直線部分の補正を説明するための図である。
【図４】図２におけるカーブモニタの第２の直線部分の補正を説明するための図である。
【図５】図２におけるカーブモニタの円弧部分の補正を説明するための図である。
【図６】スケーラ１３が実行する信号補正について説明するための図である。
【図７】スケーラ１３が実行する複数台のカーブモニタの信号補正について説明するための図である。
【図８】カーブモニタ２０を複数台設置する例について説明するための図である。
【図９】カーブモニタが有する形状の構成を説明するための図である。
【図１０】本発明による映像表示装置の基本構成を示す概略ブロック図である。
【図１１】カーブモニタの最適な視認位置Ｐｉｒを説明するための図である。
【図１２】複数台のカーブモニタの視認者の位置Ｐｆｒを説明するための図である。
【発明を実施するための形態】
【００１２】
以下、本発明の実施の形態について図面を参照しながら説明する。図１は、本発明の実施形態に係る映像表示装置の構成を示すブロック図である。図１に示すように、本実施形態に係る映像表示装置１は、信号処理制御部１０と、カーブモニタ２０（表示部）と、を含んで構成される。
信号処理制御部１０は、コントローラ１１と、スケーラ１３と、メモリ１４と、を含んで構成される。コントローラ１１は、ファームウエア１２を含んでいる。
以下本実施形態の一例では、映像表示装置１において、カーブモニタ２０は複数台あり、人感センサー３０を備えているものとする。ただし、カーブモニタ２０（表示部）は、複数台でなく１台で構成されていてもよいが、本実施形態では複数台により構成されているものとして説明を行う。
人感センサー３０は、光学センサーや超音波センサーなどで構成され、個別のカーブモニタ２０（モニタ）から視認者までの距離を検出する。
コントローラ１１は、個別のカーブモニタ２０の最適視認位置の情報をメモリ１４より読み出し、ファームウエア１２によって、個別のカーブモニタ２０の最適視認位置よりも遠方に視認者がいるか否かを判断する。すなわち、メモリ１４は、予め個別のカーブモニタ２０の最適視認位置を記憶している。また、ファームウエア１２は、人感センサー３０が検出した個別のカーブモニタ２０（モニタ）から視認者までの距離が、メモリ１４が記憶する個別のカーブモニタ２０の最適視認位置よりも大きい場合、遠方に視認者がいると判断する。なお、操作者が外部より強制的に個別のカーブモニタ２０の最適視認位置よりも遠方に視認者がいることを示す信号を、コントローラ１１に送信する構成としてもよい。
【００１３】
コントローラ１１は、個別のカーブモニタ２０の持つ曲面や平面の情報（形状情報）を格納したメモリ１４から読み出してスケーラ１３に送る。すなわち、コントローラ１１は、遠方に視認者がいると判断した場合、個別のカーブモニタ２０の持つ形状情報をスケーラ１３に送る。
スケーラ１３は、個別のカーブモニタ２０の持つ形状情報に応じて、次に述べる解決策に示す（画像補正に示す）方法で、入力する映像信号（表示映像）に対して画像処理（補正処理）を行う。スケーラ１３は、画像処理された映像信号（補正後の表示映像）を出力映像信号としてカーブモニタ２０に出力する。
カーブモニタ２０では、スケーラが出力する出力映像信号により表示映像（補正後の画像）が表示される。なお、カーブモニタ２０（表示部）に表示される表示映像は、外部から入力される入力映像信号に限定されることはなく、映像表示装置１（表示装置）内部に保存されている画像（映像）などであってもよい。
また、コントローラ１１は、カーブモニタ２０（表示部）が複数の表示部により構成された場合、複数のうちの１台のカーブモニタ２０が、視認者が最適視認位置より遠方にいることを検出すると、他のカーブモニタ２０に映像補正を行うように通知する構成であってよい。すなわち、映像表示装置１は、複数のカーブモニタ２０から視認者までの距離を検出する人感センサー３０と、最適視認位置を記憶するメモリ１４と、をさらに備えている。そのため、コントローラ１１は、他のカーブモニタ２０に映像補正を行うように通知するのみではなく、人感センサー３０が検出した距離とメモリ１４から読み出した最適視認位置を比較して、視認者が最適視認位置より遠方にいると判断した判断結果を通知してもよい。
【００１４】
続いて、スケーラ１３が実行する画像補正の方法について、図２〜図４を参照して説明する。
図２は、スケーラが画像補正を実行しない場合のカーブモニタ２０に表示される画像を説明するための図である。
図２（ａ）は、カーブモニタ２０の最適な視認位置Ｐｉｒ、視認者の位置Ｐｆｒを示しており、図２（ｂ）は、視認者の位置Ｐｆｒから視認した場合の画像（イメージ）を示している。なお、図２においては、互いに直交するＸ軸、Ｙ軸、Ｚ軸のうち、カーブモニタ２０は、図２（ａ）が示すように、図面に対して垂直な方向（Ｙ軸方向）に高さを持って設置され、Ｙ軸に対して垂直なＸＺ平面において曲面を有している。また、カーブモニタ２０が表示する画像は、図２（ｂ）が示すように、ＸＹ平面において表示されるものとする。以下、本実施形態における図面の説明においては、Ｘ軸、Ｙ軸、Ｚ軸を、以上の定義を用いて説明をする。
図２（ａ）に示すように、表示画面が曲面となっているカーブモニタ２０はその曲率に応じた最適な視認位置Ｐｉｒ（カーブモニタにおける曲率半径の中心を示す位置）が存在する。図２（ｂ）に示すように、カーブモニタ２０を曲率半径の中心（図の視認位置Ｐｉｒ）より遠方（図の視認者の位置Ｐｆｒ）から視認した場合の画像は歪んでしまう。
このように、一般的なカーブモニタ２０は、図２（ａ）に示すように、円弧部分と直線部分（第１の直線部分と第２の直線部分）の組み合わせの表示面を持っているので、図３、図４、図５に示す方法を用いて画像補正を実行する。
【００１５】
図３は、図２におけるカーブモニタの第１の直線部分の補正を説明するための図である。図３において、第１の直線部分、円弧部分は、それぞれ図２に示した第１の直線部分、円弧部分である。
図３に示す長さ（ａ）の第１の直線部分は、遠方より見ると、カーブモニタ２０の前面端部を結んだ直線（ＸＹ平面）において、カーブモニタの第１の直線部分の端部Ｂから垂直に引いた直線との交点Ｄから、カーブモニタ端部Ａまでの長さ（ｂ）に圧縮されて視認される。なお、カーブモニタ２０の前面端部を結んだ直線（ＸＹ平面）とは、カーブモニタ２０が表示する画像のＸＹ平面と平行な平面である。また、カーブモニタ２０の前面端部を結んだ直線とは、当該ＸＹ平面において、Ｘ軸に平行な直線である。
スケーラ１３は、長さ（ａ）の第１の直線部分がカーブモニタ端部Ａまでの長さ（ｂ）に圧縮されて視認されるため、カーブモニタ２０の前面端部を結んだ直線（ＸＹ平面）上で長さ（ａ）となるように、映像信号を伸張して補正する。
具体的には、スケーラ１３は、補正前の直線部分の映像信号幅を（Ｗ１）、補正後にカーブモニタ２０に印加する映像信号幅を（Ｗ２）とすると、たとえば直線的な補間と考えて、Ｗ２＝Ｗ１×（ａ／ｂ）の計算を実施して信号補正を実行する。なお、映像信号幅は、上記ＸＹ平面におけるＸ方向の幅である。
【００１６】
図４は、図２におけるカーブモニタの第２の直線部分の補正を説明するための図である。図４において、第２の直線部分、円弧部分は、それぞれ図２に示した第２の直線部分、円弧部分である。
図４に示す長さ（ｃ）の第２の直線部分は、遠方より見ると、カーブモニタ２０の前面端部を結んだ直線（ＸＹ平面）において、カーブモニタ２０の直線部分の端部Ｂから垂直に引いた直線との交点Ｄから、カーブモニタ端部Ａまでの長さ（ｄ）に圧縮されて視認される。
スケーラ１３は、長さ（ｃ）の第２の直線部分がカーブモニタ端部Ａまでの長さ（ｄ）に圧縮されて視認されるため、カーブモニタ２０の前面端部を結んだ直線（ＸＹ平面）上で長さ（ｃ）となるように、映像信号を伸張して補正する。
具体的には、スケーラ１３は、補正前の直線部分の映像信号幅を（W３）、補正後にカーブモニタ２０に印加する映像信号幅を（W４）とすると、たとえば直線的な補間と考えて、Ｗ４＝Ｗ３×（ｃ／ｄ）の計算を実施して信号補正を実行する。
【００１７】
図５は、図２におけるカーブモニタの円弧部分の補正を説明するための図である。図５において、第１の直線部分、第２の直線部分、円弧部分は、それぞれ図２に示した第１の直線部分、第２の直線部分、円弧部分である。なお、カーブモニタ２０の円弧部分を結んだ線（ＸＹ平面）とは、カーブモニタ２０が表示する画像とのＸＹ平面と平行な平面である。また、補正前の信号表示領域をW５で、補正後の信号表示領域をW６（破線部分）で示している。
図４に示す長さ（ｅ）の円弧部分は、遠方より見ると画像が広がった状態に視認される。
スケーラ１３は、長さ（ｅ）の円弧部分が広がった状態に視認されるため、カーブモニタ２０の円弧部分の長さ（ｅ）を、カーブモニタの円弧部分の端部を結んだ直線（ＸＹ平面）の長さ（ｆ）となるように、映像信号を圧縮して補正する。
具体的には、スケーラ１３は、補正前の円弧部分の映像信号幅を（W５）、補正後にカーブモニタ２０に印加する映像信号幅（W６）とすると、たとえば計算簡略化のため、W６＝Ｗ５×（ｆ／ｅ）の計算を実施して信号補正を実行する。
【００１８】
図３〜５で説明した画像補正を組み合わせ、円弧部分の表示画像を圧縮し、直線部分については伸張した表示状態とすることで、カーブモニタを曲率半径の中心より遠方から見た場合も表示画像が歪まずに視認される。
図６は、スケーラ１３が実行する信号補正について説明するための図である。
図６（ａ）では、映像補正前のカーブモニタ２０と映像補正後のカーブモニタ２０、視認者の位置Ｐｆｒを示しており、図６（ｂ）は、視認者の位置Ｐｆｒから視認した場合の画像（イメージ）を示している。
図６（ａ）に示すように、映像補正前のカーブモニタ２０は、円弧部分と直線部分（第１の直線部分と第２の直線部分）の組み合わせの表示面を持っているので、映像補正後のカーブモニタ２０では、図３、図４、図５に示す方法を用いて円弧部分の表示画像を破線の幅に圧縮し、直線部分については伸張した表示状態となるように画像補正を実行する。
このように、図３〜５の画像補正を組み合わせることで、カーブモニタ２０を曲率半径の中心より遠方（図の視認者の位置Ｐｆｒ）から見た場合、図６（ｂ）に示すように表示画像が歪まずに視認される。
【００１９】
また、図３〜５の画像補正を組み合わせた結果、カーブモニタ２０を複数台設置して大画面を構成し、視認者の位置がモニタ個別の最適位置Ｐｉｒより遠方（視認者の位置Ｐｆｒ）となった場合でも、歪みのない表示画像が視認される。
図７は、スケーラ１３が実行する複数台のカーブモニタの信号補正について説明するための図である。
図７（ａ）は、複数台（３台）のカーブモニタ２０各々の最適な視認位置Ｐｉｒを示しており、図７（ｂ）は、視認者が遠方より視認した際のカーブモニタ２０における画像を示している。スケーラ１３が個別のカーブモニタ２０の画像を補正することで、遠方（視認者の位置Ｐｆｒ）から見ても、図７（ｂ）に示すように違和感なく視認される。
このように、図３〜５の画像補正を組み合わせた結果、カーブモニタ２０を複数台設置して大画面を構成し、視認者の位置がモニタ個別の最適位置Ｐｉｒより遠方（視認者の位置Ｐｆｒ）となった場合でも、歪みのない表示画像が視認される。
【００２０】
次に、本発明の実施形態に係る映像表示装置１での映像補正処理の他の例として、図１に示す感知センサー４０を用いた例について説明する。
感知センサー４０は、個別のカーブモニタ２０の端部の接触を電気的や光学的に検出するセンサーなどで構成される。そのため、感知センサー４０は、複数台設置されており、カーブモニタ２０が、図８に示すような複数台設置されたことを感知する。図８は、カーブモニタ２０を複数台設置する例について説明するための図である。図８（ａ）は、カーブモニタ２０を水平方向（Ｘ方向）に複数台（３台）設置し、垂直方向（Ｚ方向）に複数台（３台）設置し、大画面を構成する場合である。また、図８（ｂ）は、カーブモニタ２０を水平および垂直方向に複数台（３×３＝９台）設置し、大画面を構成する場合である。
コントローラ１１およびファームウエア１２は、カーブモニタ２０の複数台設置を検知した場合は，大画面構成のため視認者が個別のカーブモニタ２０の最適視認位置Ｐｉｒよりも遠方に視認者がいるか否かを判断する。なお、操作者が外部より強制的にカーブモニタ２０が複数台設置状態にあることを示す信号を、コントローラ１１に送信する構成としてもよい。
コントローラ１１は、個別のカーブモニタ２０の持つ曲面や平面の情報（形状情報）を、格納したメモリ１４から読み出してスケーラ１３に送る。すなわち、コントローラ１１は、遠方に視認者がいると判断した場合、個別のカーブモニタ２０の持つ形状情報をスケーラ１３に送る。
スケーラ１３は、個別のカーブモニタ２０の持つ形状情報に応じて、先の解決策に示したような方法で、入力映像信号（表示映像）に対して画像処理を実行する。スケーラ１３は、画像処理された出力映像信号（補正後の表示映像）をカーブモニタ２０に出力する。
個別のカーブモニタ２０は、画像処理された出力映像信号により表示映像（補正後の画像）を表示する。なお、カーブモニタ２０（表示部）に表示される表示映像は、外部から入力される入力映像信号に限定されることはなく、映像表示装置１（表示装置）内部に保存されている画像（映像）などであってもよい。
また、コントローラ１１は、カーブモニタ２０（表示部）が複数の表示部により構成された場合、複数のうちの１台のカーブモニタ２０が、視認者が最適視認位置より遠方にいることを検出すると、他のカーブモニタ２０に映像補正を行うように通知する構成であってよい。すなわち、映像表示装置１は、カーブモニタ２０（表示部）が複数台設置されたことを感知する感知センサー４０を備えている。そのため、コントローラ１１は、他のカーブモニタ２０に映像補正を行うように通知するのみではなく、感知センサー４０が、カーブモニタ２０が複数台設置されたことを感知した場合、視認者が最適視認位置より遠方にいると判断した判断結果を通知してもよい。
【００２１】
なお、上記実施形態の説明においては、円の一部に直線を組み合わせた形状の構成を有するカーブモニタ２０を一例として示した。カーブモニタが有する形状の構成は、次に説明するように、表示画面が曲面を含む形状を有する構成であればよい。
図９は、カーブモニタが有する形状の構成を説明するための図である。図９（ａ）に示すカーブモニタ２０は、実施形態の説明において上述したように、一般的なカーブモニタの曲面構成であり、円Ｃの一部（円弧部分）に直線（第１の直線部分と第２の直線部分）を組み合わせた構成を有する。
スケーラ１３は、円Ｃの一部においては水平方向（図３〜６に示すＸ方向）に表示画像を圧縮し、直線部分（第１の直線部分と第２の直線部分）においては水平方向に表示画像を拡大するなどの補正を行い、最終的に全てのカーブモニタを水平に見る位置から視認した際に違和感が生じないように、カーブモニタが表示する画像が調整される。
【００２２】
図９（ｂ）に示すカーブモニタ２０ａは、円Ｃや楕円の一部のみの円弧で構成される形状を有する。
スケーラ１３は、円弧の中央部においては水平方向（図３〜６に示すＸ方向）に表示画像を圧縮し、円弧の端部においても水平方向に表示画像を圧縮するなどの補正を行い、最終的に全てのモニタを水平に見る位置から視認した際に違和感が生じないように、カーブモニタが表示する画像が調整される。
【００２３】
図９（ｃ）に示すカーブモニタ２０ｂは、複数の円または楕円（任意の曲線）および直線の組み合わせによって構成される形状を有する。
スケーラ１３は、各曲線および直線部分に応じた表示画像の拡大縮小などの補正を行い、最終的に全てのモニタを水平に見る位置から視認した際に違和感が生じないように、カーブモニタが表示する画像が調整される。
【００２４】
図１０は、本発明による映像表示装置の基本構成を示す概略ブロック図である。本発明による映像表示装置１の基本構成は、図１０に示すとおりである。すなわち、本発明による映像表示装置１は、カーブモニタ２０（表示部）と、スケーラ１３と、コントローラ１１と、を備える。
カーブモニタ２０は、映像を表示する表示面が曲面を含む形状を有する。
スケーラ１３は、カーブモニタ２０に表示させる表示映像に対して、表示面の形状に基づく補正である映像補正を行う。
コントローラ１１は、カーブモニタ２０の視認者がカーブモニタ２０の最適視認位置より遠方にいると、スケーラ１３に映像補正を行わせる。
【００２５】
スケーラ１３は、映像補正を行う際、カーブモニタ２０の視認者がカーブモニタ２０を最適視認位置より遠方から視認したときに発生する表示映像の歪みを表示面の形状に基づき補正する。
すなわち、スケーラ１３は、形状のうち、直線部分に関しては表示映像の幅を伸長し、円弧部分に関しては表示映像の幅を圧縮し、補正後の表示映像を生成する。
【００２６】
なお、映像表示装置１は次の構成（図１に示す構成）であってもよい。
コントローラ１１は、カーブモニタ２０が複数のカーブモニタ２０により構成された場合、複数のうちの１台のカーブモニタ２０が、視認者が最適視認位置より遠方にいることを検出すると、他のカーブモニタ２０に映像補正を行うように通知する構成であって良い。
例えば、映像表示装置１は、複数のカーブモニタ２０から視認者までの距離を検出する人感センサー３０と、最適視認位置Ｐｉｒを記憶するメモリ１４と、をさらに備える。
コントローラ１１は、人感センサー３０が検出した距離とメモリ１４から読み出した最適視認位置Ｐｉｒを比較して、視認者が最適視認位置Ｐｉｒより遠方（視認者の位置Ｐｆｒ）にいると判断する。
或いは、映像表示装置１は、複数のカーブモニタ２０が複数台設置されたことを感知する感知センサー４０を備える。
コントローラ１１は、感知センサー４０が、カーブモニタ２０が複数台設置されたことを感知した場合、視認者が最適視認位置Ｐｉｒより遠方（視認者の位置Ｐｆｒ）にいると判断する。
【００２７】
これにより、カーブモニタ２０が複数台となっても、スケーラ１３は、入力映像信号（表示映像）をカーブモニタの形状情報に応じて補正し、補正後の映像出力信号（補正後の表示映像）を複数のカーブモニタ２０に出力し、複数のカーブモニタ２０に映像出力信号（補正後の表示映像）を表示させるので、視認者が表示画像の歪みを認識しない映像表示装置１、映像表示装置１の制御方法を提供することができる。
【００２８】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００２９】
１    映像表示装置
１０    信号処理制御部
１１    コントローラ
１２    ファームウエア
１３    スケーラ
１４    メモリ
２０，２０ａ，２０ｂ    カーブモニタ
３０    人感センサー
４０    感知センサー
【図１】
0006786703.tif 000002
【図２】
0006786703.tif 000003
【図３】
0006786703.tif 000004
【図４】
0006786703.tif 000005
【図５】
0006786703.tif 000006
【図６】
0006786703.tif 000007
【図７】
0006786703.tif 000008
【図８】
0006786703.tif 000009
【図９】
0006786703.tif 000010
【図１０】
0006786703.tif 000011
【図１１】
0006786703.tif 000012
【図１２】
0006786703.tif 000013